Podtech/llm-jp-corpus-v4-ja_patent huggingface dataset:
【手続補正書】
【提出日】令和2年4月1日(2020.4.1)
【手続補正１】
【補正対象書類名】特許請求の範囲
【補正対象項目名】全文
【補正方法】変更
【補正の内容】
【特許請求の範囲】
【請求項１】
振動型アクチュエータであって、
電気−機械エネルギー変換素子と、
前記電気−機械エネルギー変換素子に固定され、前記電気−機械エネルギー変換素子に電圧を印加することにより振動する振動体と、
前記振動体に接触し、前記振動により摩擦駆動する被駆動体と、を有し、
前記被駆動体は、前記被駆動体の本体部から前記振動体の内径側に向けて延出している第一の延出部、前記第一の延出部から前記振動体の外径側に向けて延出している第二の延出部、及び前記第二の延出部の先に設けられており、前記振動体と接触している接触面、を備え、
前記第一の延出部、前記第二の延出部及び前記接触面のそれぞれは、前記被駆動体の回転軸方向に弾性変形可能に構成されている
ことを特徴とする振動型アクチュエータ。
【請求項２】
前記第一の延出部と前記第二の延出部との間に、湾曲部が配置されている
ことを特徴とする請求項１に記載の振動型アクチュエータ。
【請求項３】
前記被駆動体は、前記被駆動体の本体部から前記回転軸方向に延出する支持部を有し、
前記第一の延出部は、前記支持部を介して前記本体部と接続している
ことを特徴とする請求項１又は２に記載の振動型アクチュエータ。
【請求項４】
前記支持部は、前記本体部と接触している第一の部分と、前記第一の部分よりも前記振動体側に延出している第二の部分と、を有する
ことを特徴とする請求項３に記載の振動型アクチュエータ。
【請求項５】
前記第一の延出部と前記接触面とがなす鋭角の角度θ１は、２５度以上６５度以下である
ことを特徴とする請求項１から４のいずれか一項に記載の振動型アクチュエータ。
【請求項６】
前記第二の延出部と前記接触面とがなす鋭角の角度θ２は、２５度以上６５度以下である
ことを特徴とする請求項５に記載の振動型アクチュエータ。
【請求項７】
前記角度θ１と前記角度θ２との角度差は、１０度以下である
ことを特徴とする請求項６に記載の振動型アクチュエータ。
【請求項８】
前記角度θ１と前記角度θ２との角度差は、３度以下である
ことを特徴とする請求項６又は７に記載の振動型アクチュエータ。
【請求項９】
前記回転軸方向を含む断面において、前記振動が発生していない状態における前記接触面の内径側の端部と前記振動により前記振動体が前記接触面を加圧している状態における前記内径側の端部とを結ぶ直線と、前記振動体の前記接触面と接触する面と、がなす鋭角の角度θｉｎは、４０度以上６０度以下である
ことを特徴とする請求項１から８のいずれか一項に記載の振動型アクチュエータ。
【請求項１０】
前記回転軸方向を含む断面において、前記振動が発生していない状態における前記接触面の外径側の端部と前記振動により前記振動体が前記接触面を加圧している状態における前記外径側の端部とを結ぶ直線と、前記振動体の前記接触面と接触する面と、がなす鋭角の角度θｏｕｔは、４０度以上６０度以下である
ことを特徴とする請求項９に記載の振動型アクチュエータ。
【請求項１１】
前記角度θｉｎと前記角度θｏｕｔとの差は、６度以下である
ことを特徴とする請求項１０に記載の振動型アクチュエータ。
【請求項１２】
前記角度θｉｎと前記角度θｏｕｔとの差は、３度以下である
ことを特徴とする請求項１０又は１１に記載の振動型アクチュエータ。
【請求項１３】
前記第一の延出部の厚みと前記第二の延出部の厚みとの差は、２０μｍ以下である
ことを特徴とする請求項１から１２のいずれか一項に記載の振動型アクチュエータ。
【請求項１４】
前記第一の延出部は、前記振動体側に延出している請求項１から１３のいずれか一項に記載の振動型アクチュエータ。
【請求項１５】
前記第二の延出部は、前記振動体側に延出している請求項１から１４のいずれか一項に記載の振動型アクチュエータ。
【手続補正２】
【補正対象書類名】明細書
【補正対象項目名】００１０
【補正方法】変更
【補正の内容】
【００１０】
本発明の一側面としての振動型アクチュエータは、電気−機械エネルギー変換素子と、前記電気−機械エネルギー変換素子に固定され、前記電気−機械エネルギー変換素子に電圧を印加することにより振動する振動体と、前記振動体に接触し、前記振動により摩擦駆動する被駆動体と、を有し、前記被駆動体は、前記被駆動体の本体部から前記振動体の内径側に向けて延出している第一の延出部、前記第一の延出部から前記振動体の外径側に向けて延出している第二の延出部、及び前記第二の延出部の先に設けられており、前記振動体と接触している接触面、を備え、前記第一の延出部、前記第二の延出部及び前記接触面のそれぞれは、前記被駆動体の回転軸方向に弾性変形可能に構成されていることを特徴とする。
【手続補正３】
【補正対象書類名】明細書
【補正対象項目名】００２８
【補正方法】変更
【補正の内容】
【００２８】
接触面７ｄは、第二の延出部７ｃの先端に形成されており、振動体１５と接触する面である。接触面７ｄは、振動体１５の接触部７と接する面と略平行な面である。なお、ここで「略平行」とは、完全に平行でなくてもよく、製造誤差又はアクチュエータ１００に許容される範囲で平行からずれていても良い。
【手続補正４】
【補正対象書類名】明細書
【補正対象項目名】００３１
【補正方法】変更
【補正の内容】
【００３１】
アクチュエータ１００を駆動した場合の振動部７の振動状態について、図４を参照して説明する。図４（ａ）は振動部７の変位を説明する模式図であり、図４（ｂ）は接触面７ｄの変位を説明する拡大図である。上述したように、振動体１５は、図３のような振動形状をしている。また、振動体１５の接触部７と接触する接触面は、図４に示すように、振動体１５の駆動振動に応じた変位方向に振動する。アクチュエータ１００を駆動すると、振動体１５の振動に応じて接触部７もある変位方向に振動する。以降の説明では、振動体１５の接触面又は接触部７の任意の位置の振動による変位方向と、振動体１５の接触面とがなす角の角度を「振動角度」と呼ぶ。例えば、アクチュエータ１００を駆動する前の振動体１５の接触面の任意の位置と、振動体１５に振動が形成された状態での振動体１５の接触面の該任意の位置とを結ぶ直線と平行な方向を変位方向とする。また、変位方向と振動体１５の接触面とがなす角の角度を振動体１５の振動角度とする。以降の説明では、振動体１５の振動角度を振動角度θｓと呼ぶ。
【手続補正書】
【提出日】令和2年3月25日(2020.3.25)
【手続補正１】
【補正対象書類名】特許請求の範囲
【補正対象項目名】全文
【補正方法】変更
【補正の内容】
【特許請求の範囲】
【請求項１】
電圧が周期的に変化する駆動信号を印加することで振動し、前記振動によって電圧が周期的に変化する検出信号が出力される振動体を有する振動アクチュエーターの制御方法であって、
前記駆動信号と前記検出信号との位相差が第１基準範囲内である場合と前記第１基準範囲外である場合とで前記振動体の振動状態が異なることを特徴とする振動アクチュエーターの制御方法。
【請求項２】
前記振動体は、前記位相差が前記第１基準範囲内である場合に正常と判断され、前記位相差が前記第１基準範囲外である場合に異常と判断される請求項１に記載の振動アクチュエーターの制御方法。
【請求項３】
前記振動体の前記位相差が前記第１基準範囲内である場合、前記位相差が所定値に近づくように前記駆動信号の周波数を変化させる請求項１または２に記載の振動アクチュエーターの制御方法。
【請求項４】
前記位相差が前記第１基準範囲外である場合において、前記位相差が前記第１基準範囲とは異なる第２基準範囲内である場合と前記第２基準範囲外である場合とで前記振動体の振動状態が異なる請求項１ないし３のいずれか１項に記載の振動アクチュエーターの制御方法。
【請求項５】
前記振動体は、被駆動部に当接させる当接部を備え、
前記位相差が前記第１基準範囲内である場合は、前記当接部が回転振動するように前記振動体を振動させ、
前記位相差が前記第２基準範囲内である場合は、前記当接部が前記被駆動部への当接方向に振動するように前記振動体を振動させ、
前記位相差が前記第２基準範囲外である場合は、前記振動体の振動を停止する請求項４に記載の振動アクチュエーターの制御方法。
【請求項６】
複数の前記振動体を有し、
前記複数の振動体のうち、所定数以上の前記振動体が前記第１基準範囲外である場合は、前記複数の振動体の駆動を停止する請求項５に記載の振動アクチュエーターの制御方法。
【請求項７】
電圧が周期的に変化する駆動信号を印加することで振動し、前記振動によって電圧が周期的に変化する検出信号が出力される振動体を有する振動アクチュエーターの異常検出方法であって、
前記駆動信号と前記検出信号との位相差に基づいて、前記振動体の異常を検出することを特徴とする振動アクチュエーターの異常検出方法。
【請求項８】
電圧が周期的に変化する駆動信号を印加することで振動し、前記振動によって電圧が周期的に変化する検出信号が出力される振動体を有する振動アクチュエーターの制御装置であって、
前記駆動信号と前記検出信号の位相差を検出する検出部と、
前記位相差が第１基準範囲内である場合と前記第１基準範囲外である場合とで前記振動体の振動状態が異なる駆動制御部と、を有することを特徴とする振動アクチュエーターの制御装置。
【請求項９】
請求項８に記載の振動アクチュエーターの制御装置を備えることを特徴とするロボット。
【請求項１０】
請求項８に記載の振動アクチュエーターの制御装置を備えることを特徴とする電子部品搬送装置。
【請求項１１】
請求項８に記載の振動アクチュエーターの制御装置を備えることを特徴とするプリンター。
【請求項１２】
請求項８に記載の振動アクチュエーターの制御装置を備えることを特徴とするプロジェクター。
【手続補正２】
【補正対象書類名】明細書
【補正対象項目名】発明の名称
【補正方法】変更
【補正の内容】
【発明の名称】振動アクチュエーターの制御方法、振動アクチュエーターの異常検出方法、振動アクチュエーターの制御装置、ロボット、電子部品搬送装置、プリンターおよびプロジェクター
【手続補正書】
【提出日】令和2年3月25日(2020.3.25)
【手続補正１】
【補正対象書類名】特許請求の範囲
【補正対象項目名】全文
【補正方法】変更
【補正の内容】
【特許請求の範囲】
【請求項１】
被駆動体と、
前記被駆動体に当接する当接部を有する複数の振動体と、を有し、
前記複数の振動体に共通の交流の駆動信号を印加することにより、前記複数の振動体の前記当接部に回転振動を生じさせ、前記複数の振動体の回転振動を伝達して前記被駆動体を相対移動させる振動アクチュエーターの制御装置であって、
前記複数の振動体から、前記振動体の振動に応じた交流の検出信号を取得する検出信号取得部と、
前記複数の振動体について、前記駆動信号と前記検出信号との位相差を検出する位相差検出部と、
前記複数の振動体から１つを選択する振動体選択部と、
前記選択された振動体の前記位相差が目標値に向かうように、前記駆動信号の周波数を調整する駆動信号制御部と、を有することを特徴とする振動アクチュエーターの制御装置。
【請求項２】
前記駆動信号制御部は、前記駆動信号の周波数を前記振動体の共振周波数よりも高い範囲内で調整する請求項１に記載の振動アクチュエーターの制御装置。
【請求項３】
前記位相差と前記駆動信号の周波数との関係において、
前記目標値は、前記共振周波数に対して高周波数側に設定されている請求項２に記載の振動アクチュエーターの制御装置。
【請求項４】
前記振動体選択部は、前記複数の振動体から、前記位相差が最大である前記振動体を選択する請求項１ないし３のいずれか１項に記載の振動アクチュエーターの制御装置。
【請求項５】
前記振動体選択部は、前記複数の振動体から、前記位相差が最少である前記振動体を選択する請求項１ないし３のいずれか１項に記載の振動アクチュエーターの制御装置。
【請求項６】
被駆動体と、
前記被駆動体に当接する当接部を有する複数の振動体と、を有し、
前記複数の振動体に共通の交流の駆動信号を印加することにより、前記複数の振動体の前記当接部に回転振動を生じさせ、前記複数の振動体の回転振動を伝達して前記被駆動体を相対移動させる振動アクチュエーターの制御装置であって、
前記複数の振動体から、前記当接部の回転振動により生じる交流の検出信号を取得する検出信号取得部と、
前記複数の振動体から取得した検出信号に基づいて、基準となる前記駆動信号との位相差である基準位相差を生成する基準位相差生成部と、
前記基準位相差が目標値に向かうように、前記駆動信号の周波数を調整する駆動信号制御部と、を有することを特徴とする振動アクチュエーターの制御装置。
【請求項７】
前記基準位相差生成部は、前記複数の振動体について、前記駆動信号と前記検出信号との位相差を検出し、前記複数の振動体の前記位相差の平均値を前記基準位相差とする請求項６に記載の振動アクチュエーターの制御装置。
【請求項８】
被駆動体と、
前記被駆動体に当接する当接部を有する複数の振動体と、を有し、
前記複数の振動体に共通の交流の駆動信号を印加することにより、前記複数の振動体の前記当接部に回転振動を生じさせ、前記複数の振動体の回転振動を伝達して前記被駆動体を相対移動させる振動アクチュエーターの制御方法であって、
前記複数の振動体から、前記振動体の振動に応じた交流の検出信号を取得し、
前記複数の振動体について、前記駆動信号と前記検出信号との位相差を検出し、
前記複数の振動体から１つを選択し、
前記選択した振動体の前記位相差が目標値に向かうように、前記駆動信号の周波数を調整することを特徴とする振動アクチュエーターの制御方法。
【請求項９】
被駆動体と、
前記被駆動体に当接する当接部を有する複数の振動体と、を有し、
前記複数の振動体に共通の交流の駆動信号を印加することにより、前記複数の振動体の前記当接部に回転振動を生じさせ、前記複数の振動体の回転振動を伝達して前記被駆動体を相対移動させる振動アクチュエーターの制御方法であって、
前記複数の振動体から、前記当接部の回転振動により生じる交流の検出信号を取得し、
前記複数の振動体から取得した検出信号に基づいて、基準となる前記駆動信号との位相差である基準位相差を生成し、
前記基準位相差が目標値に向かうように、前記駆動信号の周波数を調整することを特徴とする振動アクチュエーターの制御方法。
【請求項１０】
請求項１ないし７のいずれか１項に記載の振動アクチュエーターの制御装置を備えること特徴とするロボット。
【請求項１１】
請求項１ないし７のいずれか１項に記載の振動アクチュエーターの制御装置を備えることを特徴とする電子部品搬送装置。
【請求項１２】
請求項１ないし７のいずれか１項に記載の振動アクチュエーターの制御装置を備えることを特徴とするプリンター。
【請求項１３】
請求項１ないし７のいずれか１項に記載の振動アクチュエーターの制御装置を備えることを特徴とするプロジェクター。
【手続補正２】
【補正対象書類名】明細書
【補正対象項目名】発明の名称
【補正方法】変更
【補正の内容】
【発明の名称】振動アクチュエーターの制御装置、振動アクチュエーターの制御方法、ロボット、電子部品搬送装置、プリンターおよびプロジェクター
【手続補正書】
【提出日】令和2年3月6日(2020.3.6)
【手続補正１】
【補正対象書類名】特許請求の範囲
【補正対象項目名】全文
【補正方法】変更
【補正の内容】
【特許請求の範囲】
【請求項１】
脛骨ベースプレートであって、
前記脛骨ベースプレートの対応する場所における力を検出するための複数の力センサと、
前記複数の力センサに対応し、前記脛骨ベースプレートにそれぞれの場所において大腿骨を脛骨から変位させる複数のアクチュエータと
を含む、脛骨ベースプレートと、
プロセッサであって、
前記脛骨ベースプレートの前記複数の力センサから前記対応する場所における力に関する力情報を受け取り、
前記力情報に基づいて前記脛骨に対する前記大腿骨の回転角度を判定し、
表示のために前記回転角度を出力する
ための、プロセッサと、
を備える、軟組織平衡化システム。
【請求項２】
前記複数の力センサが、前記脛骨ベースプレートの４つの四分円に対応する４つの力センサを含む、請求項１に記載の軟組織平衡化システム。
【請求項３】
前記複数のアクチュエータが、相互に独立して起動されるように構成される、請求項１に記載の軟組織平衡化システム。
【請求項４】
前記複数のアクチュエータが、前記回転角度を判定する前に、前記大腿骨を前記脛骨に連結する１つ又は複数の靱帯が張力を受けるまで、前記１つ又は複数の靱帯に対して張力を加えるように起動される、請求項１に記載の軟組織平衡化システム。
【請求項５】
前記複数のアクチュエータが、前記複数の力センサの数に対応する数のアクチュエータを含み、かつ、前記それぞれの場所が、前記脛骨ベースプレートの前記対応する場所における力を生じる、請求項１に記載の軟組織平衡化システム。
【請求項６】
前記プロセッサが、更に前記大腿骨の切断のための切除角度を判定するために前記回転角度を使用する、請求項１に記載の軟組織平衡化システム。
【請求項７】
前記大腿骨を前記脛骨に連結する軟組織に対して実施される解放切断に応じて、前記複数のアクチュエータが、更に、前記脛骨ベースプレートにそれぞれの場所において前記大腿骨を前記脛骨から更に変位させる、請求項１に記載の軟組織平衡化システム。
【請求項８】
前記複数のアクチュエータが、前記回転角度が予め設定された角度であると前記プロセッサが判定するのに応じて、前記脛骨ベースプレートに前記脛骨に対する変位から前記大腿骨を解放させる、請求項１に記載の軟組織平衡化システム。
【請求項９】
脛骨ベースプレートであって、前記脛骨ベースプレートの対応する場所における力を検出するための複数の力センサを含む、脛骨ベースプレートと、
プロセッサであって、
前記脛骨ベースプレートの前記複数の力センサから前記対応する場所についての力情報を受け取り、
前記力情報に基づいて脛骨に対する大腿骨の回転角度を判定し、
表示のために前記回転角度を出力する、
ための、プロセッサと、
を備える、軟組織平衡化システム。
【請求項１０】
前記複数の力センサが、前記脛骨ベースプレートの４つの四分円に対応する４つの力センサを含む、請求項９に記載の軟組織平衡化システム。
【請求項１１】
前記複数の力センサが、相互に独立して起動されるように構成される、請求項９に記載の軟組織平衡化システム。
【請求項１２】
前記プロセッサが、更に前記大腿骨の切断のための切除角度を判定するために前記回転角度を使用する、請求項９に記載の軟組織平衡化システム。
【請求項１３】
前記大腿骨を前記脛骨に連結する軟組織に対して実施される解放切断に応じて、前記脛骨ベースプレートが、それぞれの場所において前記大腿骨を前記脛骨から更に変位させる、請求項９に記載の軟組織平衡化システム。
【請求項１４】
前記回転角度が予め設定された角度であると前記プロセッサが判定するのに応じて、前記脛骨ベースプレートが、前記脛骨に対する変位から前記大腿骨を解放させる、請求項９に記載の軟組織平衡化システム。
【手続補正書】
【提出日】令和2年2月19日(2020.2.19)
【手続補正１】
【補正対象書類名】特許請求の範囲
【補正対象項目名】全文
【補正方法】変更
【補正の内容】
【特許請求の範囲】
【請求項１】
遊技を行うことが可能な遊技機であって、
遊技者にとって有利な有利状態に制御可能な有利状態制御手段と、
前記有利状態と異なる状態である特殊状態に制御可能な特殊状態制御手段と、
非特別状態に比べて前記特殊状態により遊技価値が付与されやすい特別状態に制御可能な特別状態制御手段と、
前記有利状態に制御するかと前記特殊状態に制御するかを決定可能な決定手段と、
前記決定手段の決定前に判定可能な判定手段と、
前記判定手段の判定にもとづいて、前記特別状態の継続を示唆する第１示唆演出と、該第１示唆演出とは異なる演出態様であって前記特別状態の終了を示唆する第２示唆演出と、を実行可能な演出実行手段と、を備え、
前記第１示唆演出が実行されて前記特別状態が継続する割合と前記第２示唆演出が実行されて前記特別状態が継続する割合とが互いに異なり、
前記第１示唆演出は、特定種類の有利状態に制御されることを示唆可能である、
ことを特徴とする遊技機。
【手続補正２】
【補正対象書類名】明細書
【補正対象項目名】０００９
【補正方法】変更
【補正の内容】
【０００９】
（１）上記目的を達成するため、本願発明に係る遊技機は、遊技を行うことが可能な遊技機であって、遊技者にとって有利な有利状態（例えば、大当り遊技状態）に制御可能な有利状態制御手段と、有利状態と異なる状態である特殊状態（例えば、小当り遊技状態）に制御可能な特殊状態制御手段と、非特別状態に比べて特殊状態により遊技価値が付与されやすい特別状態（例えば、ＫＴ状態）に制御可能な特別状態制御手段と、有利状態に制御するかと特殊状態に制御するかを決定可能な決定手段（例えば、ＣＰＵ１０３がステップ０５２ＩＷＳ０５９Ａや０５２ＩＷＳ０６４Ａを実行する部分）と、決定手段の決定前に判定可能な判定手段（例えば、ＣＰＵ１０３がステップ０７２ＩＷＳ０４５を実行する部分）と、判定手段の判定（例えば、先読み判定結果）にもとづいて、特別状態の継続を示唆する第１示唆演出（例えば、小当りＲＵＳＨ継続示唆演出）と、該第１示唆演出とは異なる演出態様であって特別状態の終了を示唆する第２示唆演出（例えば、小当りＲＵＳＨ終了示唆演出）と、を実行可能な演出実行手段と、を備え、第１示唆演出が実行されて特別状態が継続する割合と第２示唆演出が実行されて特別状態が継続する割合とが互いに異なり（例えば、小当りＲＵＳＨ継続示唆演出が実行されるときには、１０Ｒ確変大当りまたは小当りとなり、いずれの場合にも小当りＲＵＳＨが継続されるが、小当りＲＵＳＨ終了示唆演出が実行されるときには、２Ｒ通常大当りまたは小当りとなり、２Ｒ通常大当りの場合には小当りＲＵＳＨが継続されない。図９−４７参照）、
第１示唆演出は、特定種類の有利状態（例えば、１０Ｒ確変大当り）に制御されることを示唆可能である、ことを特徴とする。
そのような構成によれば、特別状態に関する遊技性の単調さを解消することができ、遊技に対する興趣を向上させることができる。
【手続補正書】
【提出日】令和2年2月17日(2020.2.17)
【手続補正１】
【補正対象書類名】特許請求の範囲
【補正対象項目名】全文
【補正方法】変更
【補正の内容】
【特許請求の範囲】
【請求項１】
遊技を行うことが可能な遊技機であって、
遊技者にとって有利な有利状態に制御可能な有利状態制御手段と、
前記有利状態とは異なる状態である特殊状態に制御可能な特殊状態制御手段と、
非特別状態に比べて前記特殊状態により遊技価値が付与されやすい特別状態に制御可能な特別状態制御手段と、
前記有利状態に制御するかと前記特殊状態に制御するかを決定可能な決定手段と、
前記決定手段の決定前に判定可能な判定手段と、
前記判定手段の判定にもとづいて、前記特別状態の継続を示唆する第１示唆演出と、該第１示唆演出とは異なる演出態様であって前記特別状態の終了を示唆する第２示唆演出と、を実行可能な演出実行手段と、を備え、
前記演出実行手段は、前記第１示唆演出を複数の可変表示に亘って実行可能であり、
前記第１示唆演出の演出態様の数と前記第２示唆演出の演出態様の数とが互いに異なる、
ことを特徴とする遊技機。
【手続補正２】
【補正対象書類名】明細書
【補正対象項目名】０００９
【補正方法】変更
【補正の内容】
【０００９】
（１）上記目的を達成するため、本願発明に係る遊技機は、遊技を行うことが可能な遊技機であって、遊技者にとって有利な有利状態（例えば、大当り遊技状態）に制御可能な有利状態制御手段と、有利状態とは異なる状態である特殊状態（例えば、小当り遊技状態）に制御可能な特殊状態制御手段と、非特別状態に比べて特殊状態により遊技価値が付与されやすい特別状態（例えば、ＫＴ状態）に制御可能な特別状態制御手段と、有利状態に制御するかと特殊状態に制御するかを決定可能な決定手段（例えば、ＣＰＵ１０３がステップ０５２ＩＷＳ０５９Ａや０５２ＩＷＳ０６４Ａを実行する部分）と、決定手段の決定前に判定可能な判定手段（例えば、ＣＰＵ１０３がステップ０７２ＩＷＳ０４５を実行する部分）と、判定手段の判定（例えば、先読み判定結果）にもとづいて、特別状態の継続を示唆する第１示唆演出（例えば、小当りＲＵＳＨ継続示唆演出）と、該第１示唆演出とは異なる演出態様であって特別状態の終了を示唆する第２示唆演出（例えば、小当りＲＵＳＨ終了示唆演出）と、を実行可能な演出実行手段と、を備え、演出実行手段は、第１示唆演出を複数の可変表示に亘って実行可能であり（例えば、演出制御用ＣＰＵ１２０がステップ０７２ＩＷＳ１１５を実行する部分）第１示唆演出と第２示唆演出との実行割合が互いに異なる（例えば、１０Ｒ確変大当りが発生する割合（図９−５（Ｂ）に示す例では３５％）と２Ｒ通常大当りが発生する割合（同例では３０％）とが異なるとともに、１０Ｒ確変大当りのときに小当りＲＵＳＨ継続示唆演出を実行すると決定する割合（図９−４７（Ａ）に示す例では１００％）と、２Ｒ通常大当りのときに小当りＲＵＳＨ終了示唆演出を実行すると決定する割合（図９−４７（Ｂ）に示す例では９０％）とが異なること、また、小当りのときに小当りＲＵＳＨ継続示唆演出を実行すると決定する割合（図９−４７（Ｃ）に示す例では３５％）と、小当りＲＵＳＨ終了示唆演出を実行すると決定する割合（同例では３０％）とが異なることによって実現される）ことを特徴とする。
そのような構成によれば、特別状態に関する遊技性の単調さを解消することができ、遊技に対する興趣を向上させることができる。
【手続補正書】
【提出日】令和2年2月27日(2020.2.27)
【手続補正１】
【補正対象書類名】特許請求の範囲
【補正対象項目名】全文
【補正方法】変更
【補正の内容】
【特許請求の範囲】
【請求項１】
所定条件の成立後に遊技媒体が特定領域を通過したことに基づいて遊技者にとって有利な有利状態に制御可能であるとともに、前記有利状態とは異なる特殊状態と、前記有利状態及び前記特殊状態とは異なる遊技状態であって前記特殊状態に制御されやすい特別状態に制御可能な遊技機であって、
遊技者にとって有利度が異なる複数の設定値のうちのいずれかの設定値に設定可能な設定手段と、
前記設定手段に関する示唆を行う設定示唆演出を実行可能な演出実行手段と、
を備え、
前記特別状態として、第１特別状態と、該第１特別状態よりも有利な第２特別状態と、があり、
前記演出実行手段は、
遊技状態が切り替わるときに設定示唆演出を実行可能であるとともに、前記所定条件とは異なる特別条件が成立したときに設定示唆演出を実行可能であり、
前記第１特別状態において前記特別条件が成立したときと、前記第２特別状態において前記特別条件が成立したときとで異なる割合により設定示唆演出を実行可能である
ことを特徴とする遊技機。
【手続補正２】
【補正対象書類名】明細書
【補正対象項目名】０００６
【補正方法】変更
【補正の内容】
【０００６】
（０）上記目的を達成するため、本願発明に係る遊技機は、所定条件の成立後に遊技媒体が特定領域を通過したことに基づいて遊技者にとって有利な有利状態に制御可能であるとともに（例えば、大当り図柄が導出表示された後に遊技球が通過ゲート４１を通過したことに基づいて大当り遊技状態に制御可能）、前記有利状態とは異なる特殊状態（例えば、小当り遊技状態）と、前記有利状態及び前記特殊状態とは異なる遊技状態であって前記特殊状態に制御されやすい特別状態（ＫＴ状態）に制御可能な遊技機であって（例えば、パチンコ遊技機１等）、遊技者にとって有利度が異なる複数の設定値のうちのいずれかの設定値に設定可能な設定手段と（例えば、図９−６〜図９−８に示す電源投入時処理における設定変更モードにおいて、大当りの当選確率が異なる６段階の設定値のうちのいずれかの設定値に設定可能なＣＰＵ１０３等）、前記設定手段に関する示唆を行う設定示唆演出を実行可能な演出実行手段と（例えば、現在の設定値を示唆するゲート通過待ち時示唆演出を実行可能な演出制御用ＣＰＵ１２０等）、を備え、前記特別状態として、第１特別状態（例えば、第１ＫＴ状態）と、該第１特別状態よりも有利な第２特別状態（例えば、第２ＫＴ状態）と、があり、前記演出実行手段は、遊技状態が切り替わるときに設定示唆演出を実行可能であるとともに（例えば、大当り遊技の開始時や終了時、低確率／第１ＫＴ状態から通常状態（低確率／低ベース状態）に移行するときにステップ０５２ＩＷＳ６２４で右打ち表示の表示態様（例えば、表示色）を変化させる）、遊技状態が切り替わるときに設定示唆演出を実行可能であるとともに（例えば、大当り遊技の開始時や終了時、低確率／第１ＫＴ状態から通常状態（低確率／低ベース状態）に移行するときにステップ０５２ＩＷＳ６２４で右打ち表示の表示態様（例えば、表示色）を変化させる）、前記所定条件とは異なる特別条件が成立したときに設定示唆演出を実行可能であり（小当りとなって特殊入賞口に遊技球が入賞した場合に、小当り入賞時示唆演出や賞球数表示示唆演出を実行可能である）、前記第１特別状態において前記特別条件が成立したときと、前記第２特別状態において前記特別条件が成立したときとで異なる割合により設定示唆演出を実行可能である（例えば、第２ＫＴ状態中に小当りとなって特殊入賞口に遊技球が入賞した場合のみ、小当り入賞時示唆演出や賞球数表示示唆演出を実行可能である）。
【手続補正３】
【補正対象書類名】明細書
【補正対象項目名】０００７
【補正方法】変更
【補正の内容】
【０００７】
（１）本願の他の遊技機は、所定条件の成立後に遊技媒体が特定領域を通過したことに基づいて遊技者にとって有利な有利状態に制御可能な遊技機であって（例えば、大当り図柄が導出表示された後に遊技球が通過ゲート４１を通過したことに基づいて大当り遊技状態に制御可能なパチンコ遊技機１等）、遊技者にとって有利度が異なる複数の設定値のうちのいずれかの設定値に設定可能な設定手段と（例えば、図９−６〜図９−８に示す電源投入時処理における設定変更モードにおいて、大当りの当選確率が異なる６段階の設定値のうちのいずれかの設定値に設定可能なＣＰＵ１０３等）、前記設定手段に関する示唆を行う設定示唆演出を実行可能な演出実行手段と（例えば、現在の設定値を示唆するゲート通過待ち時示唆演出を実行可能な演出制御用ＣＰＵ１２０等）、を備え、前記演出実行手段は、前記所定条件の成立後から遊技媒体が前記特定領域を通過するまでの期間に、前記設定示唆演出を実行可能である（例えば、大当り図柄が導出表示された後から遊技球が通過ゲート４１を通過するまでのゲート通過待ち期間に、ゲート通過待ち時示唆演出を実行可能であること等）。
このような構成によれば、設定示唆演出の演出効果を高めることができる。
【手続補正書】
【提出日】令和2年2月27日(2020.2.27)
【手続補正１】
【補正対象書類名】特許請求の範囲
【補正対象項目名】全文
【補正方法】変更
【補正の内容】
【特許請求の範囲】
【請求項１】
所定条件の成立後に遊技媒体が特定領域を通過したことに基づいて遊技者にとって有利な有利状態に制御可能であるとともに、前記有利状態とは異なる特殊状態と、前記有利状態及び前記特殊状態とは異なる遊技状態であって前記特殊状態に制御されやすい特別状態に制御可能な遊技機であって、
遊技者にとって有利度が異なる複数の設定値のうちのいずれかの設定値に設定可能な設定手段と、
前記設定手段に関する示唆を行う設定示唆演出を実行可能な演出実行手段と、
を備え、
前記特別状態として、第１特別状態と、該第１特別状態よりも有利な第２特別状態と、があり、
前記演出実行手段は、
遊技状態が切り替わるときに設定示唆演出を実行可能であるとともに、前記所定条件とは異なる特別条件が成立したときに設定示唆演出を実行可能であり、
前記第１特別状態において前記特別条件が成立したときと、前記第２特別状態において前記特別条件が成立したときとで異なる割合により設定示唆演出を実行可能であり、
前記所定条件の成立後で遊技媒体が前記特定領域を通過前に、前記特定領域への遊技媒体の発射を促進する促進演出を実行可能である
ことを特徴とする遊技機。
【手続補正２】
【補正対象書類名】明細書
【補正対象項目名】０００６
【補正方法】変更
【補正の内容】
【０００６】
（０）上記目的を達成するため、本願発明に係る遊技機は、所定条件の成立後に遊技媒体が特定領域を通過したことに基づいて遊技者にとって有利な有利状態に制御可能であるとともに（例えば、大当り図柄が導出表示された後に遊技球が通過ゲート４１を通過したことに基づいて大当り遊技状態に制御可能）、前記有利状態とは異なる特殊状態（例えば、小当り遊技状態）と、前記有利状態及び前記特殊状態とは異なる遊技状態であって前記特殊状態に制御されやすい特別状態（ＫＴ状態）に制御可能な遊技機であって（例えば、パチンコ遊技機１等）、遊技者にとって有利度が異なる複数の設定値のうちのいずれかの設定値に設定可能な設定手段と（例えば、図９−６〜図９−８に示す電源投入時処理における設定変更モードにおいて、大当りの当選確率が異なる６段階の設定値のうちのいずれかの設定値に設定可能なＣＰＵ１０３等）、前記設定手段に関する示唆を行う設定示唆演出を実行可能な演出実行手段と（例えば、現在の設定値を示唆するゲート通過待ち時示唆演出を実行可能な演出制御用ＣＰＵ１２０等）、を備え、前記特別状態として、第１特別状態（例えば、第１ＫＴ状態）と、該第１特別状態よりも有利な第２特別状態（例えば、第２ＫＴ状態）と、があり、遊技状態が切り替わるときに設定示唆演出を実行可能であるとともに（例えば、大当り遊技の開始時や終了時、低確率／第１ＫＴ状態から通常状態（低確率／低ベース状態）に移行するときにステップ０５２ＩＷＳ６２４で右打ち表示の表示態様（例えば、表示色）を変化させる）、前記所定条件とは異なる特別条件が成立したときに設定示唆演出を実行可能であり（小当りとなって特殊入賞口に遊技球が入賞した場合に、小当り入賞時示唆演出や賞球数表示示唆演出を実行可能である）、前記第１特別状態において前記特別条件が成立したときと、前記第２特別状態において前記特別条件が成立したときとで異なる割合により設定示唆演出を実行可能であり（例えば、第２ＫＴ状態中に小当りとなって特殊入賞口に遊技球が入賞した場合のみ、小当り入賞時示唆演出や賞球数表示示唆演出を実行可能である）、前記所定条件の成立後で遊技媒体が前記特定領域を通過前に、前記特定領域への遊技媒体の発射を促進する促進演出を実行可能である（例えば、大当り図柄が導出表示された後から遊技球が通過ゲート４１を通過するまでのゲート通過待ち期間に、通過ゲート４１へ向けて遊技球を発射すべきことを報知する右打ち報知を実行可能であること等）。
【手続補正３】
【補正対象書類名】明細書
【補正対象項目名】０００７
【補正方法】変更
【補正の内容】
【０００７】
（１）本願の他の遊技機は、所定条件の成立後に遊技媒体が特定領域を通過したことに基づいて遊技者にとって有利な有利状態に制御可能な遊技機であって（例えば、大当り図柄が導出表示された後に遊技球が通過ゲート４１を通過したことに基づいて大当り遊技状態に制御可能なパチンコ遊技機１等）、遊技者にとって有利度が異なる複数の設定値のうちのいずれかの設定値に設定可能な設定手段と（例えば、図９−６〜図９−８に示す電源投入時処理における設定変更モードにおいて、大当りの当選確率が異なる６段階の設定値のうちのいずれかの設定値に設定可能なＣＰＵ１０３等）、前記所定条件の成立後から遊技媒体が前記特定領域を通過するまでの期間に、前記設定手段に関する設定示唆演出を実行可能な演出実行手段（例えば、現在の設定値を示唆するゲート通過待ち時示唆演出を実行可能な演出制御用ＣＰＵ１２０等）と、を備え、前記有利状態は、複数種類あり（例えば、複数種類の大当り種別の大当り遊技状態に制御可能であること等）、前記演出実行手段は、前記特定領域を通過した後に制御される前記有利状態の種類に応じて、異なる割合で前記設定示唆演出を実行可能である（例えば、大当り遊技状態の大当り種別に応じて、異なる割合でゲート通過待ち時示唆演出を実行可能であること等）。
このような構成によれば、設定示唆演出の演出効果を高めることができる。
【手続補正書】
【提出日】令和2年2月25日(2020.2.25)
【手続補正１】
【補正対象書類名】特許請求の範囲
【補正対象項目名】全文
【補正方法】変更
【補正の内容】
【特許請求の範囲】
【請求項１】
遊技者にとって有利な有利状態に制御可能な遊技機であって、
前記有利状態に制御されることを示唆する示唆演出を実行可能な示唆演出実行手段と、
前記示唆演出の実行に対応して所定動作を行い演出表示の表示態様を変化させる所定演出を実行可能な所定演出実行手段と、を備え、
前記所定演出実行手段は、前記所定演出として、
第１特別態様による演出表示を表示した後に所定動作を行う第１所定演出と、
第２特別態様による演出表示を表示した後に所定動作を行う第２所定演出と、を実行可能であり、
前記第１所定演出が実行されるときと前記第２所定演出が実行されるときとで前記有利状態に制御される割合が異なり、
さらに、
遊技者にとっての有利度が異なる複数の設定値のうちいずれかの設定値に設定可能な設定手段と、
設定された設定値に応じて異なる割合により設定示唆演出を実行可能な設定示唆演出実行手段と、を備え、
前記設定示唆演出実行手段は、前記設定示唆演出として、第１設定示唆演出と、該第１
設定示唆演出よりも認識度合いが高い第２設定示唆演出と、を実行可能である、
ことを特徴とする遊技機。
【手続補正２】
【補正対象書類名】明細書
【補正対象項目名】０００６
【補正方法】変更
【補正の内容】
【０００６】
手段アの遊技機は、
遊技者にとって有利な有利状態に制御可能な遊技機であって、
前記有利状態に制御されることを示唆する示唆演出を実行可能な示唆演出実行手段と、
前記示唆演出の実行に対応して所定動作を行い演出表示の表示態様を変化させる所定演出を実行可能な所定演出実行手段と、を備え、
前記所定演出実行手段は、前記所定演出として、
第１特別態様による演出表示を表示した後に所定動作を行う第１所定演出と、
第２特別態様による演出表示を表示した後に所定動作を行う第２所定演出と、を実行可能であり、
前記第１所定演出が実行されるときと前記第２所定演出が実行されるときとで前記有利状態に制御される割合が異なり、
さらに、
遊技者にとっての有利度が異なる複数の設定値のうちいずれかの設定値に設定可能な設定手段と、
設定された設定値に応じて異なる割合により設定示唆演出を実行可能な設定示唆演出実行手段と、を備え、
前記設定示唆演出実行手段は、前記設定示唆演出として、第１設定示唆演出と、該第１
設定示唆演出よりも認識度合いが高い第２設定示唆演出と、を実行可能である、
ことを特徴とする遊技機。
手段Ｓ１の遊技機は、
遊技者にとって有利な有利状態（大当り遊技状態）に制御可能な遊技機であって、
前記有利状態に制御されることを示唆する示唆演出（擬似連演出、期待度予告演出）を実行可能な示唆演出実行手段（演出制御用ＣＰＵ１２０）と、
前記示唆演出の実行に対応して所定動作（数値の減算を行うカウントダウン動作、数値の加算を行うカウントアップ動作）を行い演出表示の表示態様を変化させる所定演出（カウントダウン演出、カウントアップ演出）を実行可能な所定演出実行手段（演出制御用ＣＰＵ１２０）と、を備え、
前記所定演出実行手段は、前記所定演出として、
第１特別態様による演出表示（初期値として定められている「３」）を表示した後に所定動作（減算、カウントダウン動作）を行う第１所定演出（図１３−９（２）〜（５）に示すように、サブ液晶表示器３５ＴＭ３００に初期値として定められている「３」を表示した後に、カウントダウン動作が行われることにより、数値の減算を行うカウントダウン演出）と、
第２特別態様による演出表示（初期値として定められている「７０」）を表示した後に所定動作（加算、カウントアップ動作）を行う第２所定演出（図１３−１１（１４）〜（１７）に示すように、サブ液晶表示器３５ＴＭ３００に初期値として定められている「７０」を表示した後に、カウントアップ動作が行われることにより、数値の加算を行うカウントアップ演出）と、を実行可能であり、
前記第１所定演出が実行されるときと前記第２所定演出が実行されるときとで前記有利状態に制御される割合が異なり（図１３−７（Ｈ）、（Ｉ）に示すように、カウントダウン演出が実行されるときよりも、カウントアップ演出が実行されるときの方が、大当り期待度が高い）
さらに、
前記有利状態に制御されることを示唆する示唆演出（例えばリーチ演出）を実行可能な示唆演出実行手段（例えば演出制御用ＣＰＵ１２０）と、
前記示唆演出に対応したタイトルを報知可能なタイトル報知手段（例えば演出制御用ＣＰＵ１２０）と、を備え、
前記タイトル報知手段は、前記示唆演出の開始から所定期間経過したときに当該示唆演出に対応したタイトルを報知可能である（例えば図９（Ｄ）、（Ｆ））。
ことを特徴とする遊技機。
このような構成によれば、所定表示領域において何れの所定演出が実行されるかに注目させ、興趣を向上させることができる。また、演出効果を高めることができる。
【手続補正書】
【提出日】令和2年7月6日(2020.7.6)
【手続補正１】
【補正対象書類名】特許請求の範囲
【補正対象項目名】全文
【補正方法】変更
【補正の内容】
【特許請求の範囲】
【請求項１】
患者（２９）の検査の際に用いるＸ線装置（２）用の患者支持装置であって、
患者ベッド（１０）と、該患者ベッド（１０）を支持する少なくとも１つの支持体（６）とを備え、
前記患者ベッド（１０）は、Ｘ線透過性の第１の材料（１２）を、Ｘ線透過性の第２の材料からなる少なくとも部分的に可撓性のカバー（１１）内に包含して備え、
前記第１の材料（１２）は、固体状の形状的に安定した安定状態と、変形可能状態とをもち、これら２つの状態が可逆的な相転移によって連係し、
エネルギー投入とエネルギー放出のいずれか又は両方によって、前記第１の材料（１２）の前記２つの状態間の前記相転移のうちの少なくとも一方を誘起するために、少なくとも１つの誘起装置（１４，１５）を更に備える、患者支持装置。
【請求項２】
前記第１の材料（１２）の前記変形可能状態が、少なくとも部分的に液体又は気体の状態である、請求項１に記載の患者支持装置。
【請求項３】
前記第２の材料は、前記誘起装置（１４，１５）によって利用される前記第１の材料（１２）の前記状態に対して相安定である、請求項１又は２に記載の患者支持装置。
【請求項４】
前記第１の材料（１２）は、前記変形可能状態において粘性である請求項１〜３のいずれか１項に記載の患者支持装置。
【請求項５】
前記第１の材料（１２）が水である、請求項１〜３のいずれか１項に記載の患者支持装置。
【請求項６】
前記第１の材料（１２）は、潜熱蓄熱材料又は発泡材を含む、請求項１〜３のいずれか１項に記載の患者支持装置。
【請求項７】
前記潜熱蓄熱材料が酢酸ナトリウム三水和物である、請求項６に記載の患者支持装置。
【請求項８】
前記第２の材料は、少なくとも１種のプラスチックを含むか又は該プラスチックである、請求項１〜７のいずれか１項に記載の患者支持装置。
【請求項９】
前記第１の材料（１２）及び前記第２の材料は、Ｘ線に対して同じ減衰性を有する、請求項１〜８のいずれか１項に記載の患者支持装置。
【請求項１０】
前記第２の材料が弾性をもち、前記第１の材料（１２）の前記相転移のときに生じる体積変化を補償するか又は前記第１の材料（１２）の材料厚さの均一分布を促進する、請求項１〜９のいずれか１項に記載の患者支持装置。
【請求項１１】
前記第２の材料は、形状安定化のために提供された、前記第１の材料（１２）のための貫通孔を有する少なくとも１つのブリッジ材（１８）を備える、請求項１〜１０のいずれか１項に記載の患者支持装置。
【請求項１２】
前記第２の材料は、所定のヒンジ箇所のみが可撓性である、請求項１〜１１のいずれか１項に記載の患者支持装置。
【請求項１３】
前記誘起装置（１４，１５）は、熱、冷却、電流の１つ以上によって前記エネルギー投入又は前記エネルギー放出をもたらすように構成される、請求項１〜１２のいずれか１項に記載の患者支持装置。
【請求項１４】
前記患者ベッド（１０）に対する準備装置（２１）を備え、
該準備装置（２１）は、
前記患者ベッド（１０）に対する少なくとも１つの支承面部（２８）と、
該支承面部（２８）に作用する少なくとも１つの調節機構（２５）とを備える、請求項１〜１３のいずれか１項に記載の患者支持装置。
【請求項１５】
前記調節機構（２５）の少なくとも１つは、前記支承面部（２８）の一部分（２４）を、これに隣接する前記支持面（２８）の部分（２４）に対して曲げるためのヒンジ（２６）である、請求項１４に記載の患者支持装置。
【請求項１６】
前記準備装置（２１）が手術台又は架台（２２）である、請求項１４又は１５に記載の患者支持装置。
【請求項１７】
前記患者ベッド（１０）は、前記変形可能状態において患者（２９）の片脚ごとに独立して調節するために、脚部領域（１９）において、長手方向に延在する切り込み（２０）を有する、請求項１〜１６のいずれか１項に記載の患者支持装置。
【請求項１８】
前記支持体（６）が少なくとも１つの支柱（７）として形成され、少なくとも高さ調節可能である、請求項１〜１７のいずれか１項に記載の患者支持装置。
【請求項１９】
請求項１〜１８のいずれか１項に記載の患者支持装置（１）の前記患者ベッド（１０）を調節する方法であって、
前記第１の材料（１２）の前記変形可能状態を、相転移の誘起によって確引き起こすステップと、
前記患者ベッド（１０）を、前記支持体（６）から取り外した状態で変形させるステップと、
前記第１の材料（１２）の前記安定状態を、相転移の誘起によって確立するステップとを含む、方法。
【手続補正書】
【提出日】令和2年11月13日(2020.11.13)
【手続補正１】
【補正対象書類名】特許請求の範囲
【補正対象項目名】全文
【補正方法】変更
【補正の内容】
【特許請求の範囲】
【請求項１】
所定の始動条件の成立に基づいて抽選を行い、該抽選の結果が当りである場合に、通常遊技状態よりも遊技者に有利な特定遊技状態に制御可能な遊技機であって、
所定の演出情報を表示可能な演出表示手段と、
前記抽選の結果に基づいて前記演出表示手段を表示制御して変動演出を実行する表示制御手段と、
前記演出表示手段に表示される前記変動演出に関連して音出力手段から所定の演出音を出力させる制御を行う音出力制御手段と、
操作手段の操作に基づいて前記音出力手段から出力される演出音の音量を調節可能な音量調節手段と、を備え、
前記表示制御手段は、前記所定の演出情報として特定の演出情報を前記変動演出中の特定期間に亘って表示させることが可能であり、
前記特定期間では前記演出音の音量が抑制され、該特定期間において、前記音量調節手段は、前記演出音の音量が抑制されている中で前記操作手段の操作を受け付けて前記演出音の音量を調節可能とするものの該調節された音量の前記演出音を前記特定期間の経過後に聴取可能とし、
前記特定期間と異なり前記変動演出中の前記演出音の音量が抑制されない非特定期間において、前記音量調節手段は、前記演出音の音量が抑制されていない中で前記操作手段の操作を受け付けて前記演出音の音量を調節可能とするとともに該調節された音量の前記演出音を当該調節タイミングで聴取可能とし、
前記特定期間では、前記演出表示手段に表示される演出情報の数が該特定期間とされる前のときに比べて抑制され、
前記演出表示手段に表示される前記変動演出中に発光による演出を実行可能な発光手段を有し、
前記演出音の音量が抑制されている中で前記操作手段の操作を受け付けて前記演出音の音量を調節可能とされる前記特定期間における前記発光手段の発光は、該特定期間とされる前のときに比べて抑制される
ことを特徴とする遊技機。
【手続補正２】
【補正対象書類名】明細書
【補正対象項目名】０００６
【補正方法】変更
【補正の内容】
【０００６】
上記した目的を達成するために、請求項１に係る発明においては、所定の始動条件の成立に基づいて抽選を行い、該抽選の結果が当りである場合に、通常遊技状態よりも遊技者に有利な特定遊技状態に制御可能な遊技機であって、
所定の演出情報を表示可能な演出表示手段と、
前記抽選の結果に基づいて前記演出表示手段を表示制御して変動演出を実行する表示制御手段と、
前記演出表示手段に表示される前記変動演出に関連して音出力手段から所定の演出音を出力させる制御を行う音出力制御手段と、
操作手段の操作に基づいて前記音出力手段から出力される演出音の音量を調節可能な音量調節手段と、を備え、
前記表示制御手段は、前記所定の演出情報として特定の演出情報を前記変動演出中の特定期間に亘って表示させることが可能であり、
前記特定期間では前記演出音の音量が抑制され、該特定期間において、前記音量調節手段は、前記演出音の音量が抑制されている中で前記操作手段の操作を受け付けて前記演出音の音量を調節可能とするものの該調節された音量の前記演出音を前記特定期間の経過後に聴取可能とし、
前記特定期間と異なり前記変動演出中の前記演出音の音量が抑制されない非特定期間において、前記音量調節手段は、前記演出音の音量が抑制されていない中で前記操作手段の操作を受け付けて前記演出音の音量を調節可能とするとともに該調節された音量の前記演出音を当該調節タイミングで聴取可能とし、
前記特定期間では、前記演出表示手段に表示される演出情報の数が該特定期間とされる前のときに比べて抑制され、
前記演出表示手段に表示される前記変動演出中に発光による演出を実行可能な発光手段を有し、
前記演出音の音量が抑制されている中で前記操作手段の操作を受け付けて前記演出音の音量を調節可能とされる前記特定期間における前記発光手段の発光は、該特定期間とされる前のときに比べて抑制される
ことを特徴とする。
【手続補正書】
【提出日】令和2年2月28日(2020.2.28)
【手続補正１】
【補正対象書類名】特許請求の範囲
【補正対象項目名】全文
【補正方法】変更
【補正の内容】
【特許請求の範囲】
【請求項１】
血液透析装置の血液配管セット内の透析溶液による血液の置換を検出するためのシステムであって、透析液が透析器の透析側から血液側に圧送されるシステムにおいて、前記システムは、
血管、ろうまたはグラフト内の第１のカテーテルまたは針を血液ポンプの入口に流体接続する第１の流体ラインと、
血管、ろうまたはグラフト内の第２のカテーテルまたは針を前記血液ポンプの出口に流体接続する第２の流体ラインと、
前記第１の流体ラインを前記第１のカテーテルまたは針に接続する第１のコネクタと、前記第２の流体ラインを前記第２のカテーテルまたは針に接続する第２のコネクタと、前記第１のコネクタは、同第１のコネクタの流体搬送内腔と流体連通している第１の電極を有することと、前記第２のコネクタは、同第２のコネクタの流体搬送内腔と流体連通する第２の電極を有することと、
前記第１の電極に電気的に接続された第１の端子と前記第２の電極に電気的に接続された第２の端子とを有する電子回路であって、前記第１のコネクタと前記第２のコネクタとの間の流体の電気インピーダンスを、前記血管、ろうまたはグラフトを通る導電経路を介して測定するように構成された電子回路と、
前記電子回路から一連のサンプリングされた電気インピーダンス値を受信し、前記電気インピーダンス値を信号として処理するように構成されたコントローラと、を備え、
前記コントローラは、
透析液が前記透析器を介して前記血液配管セットに圧送されるときに、信号またはフィルタリングされた形態の信号を測定し、
前記信号または前記フィルタリングされた形態の信号が、前記第１の流体ラインおよび前記第２の流体ライン内の血液に関する信号の期待値にほぼ等しい第１の値を有するか、或いは前記第１の流体ラインおよび前記第２の流体ライン内の透析溶液に関する信号の期待値にほぼ等しい第２の値を有するかを決定し、
前記信号または前記フィルタリングされた形態の信号が前記第１の値から前記第２の値に変化する時点を決定し、そして
前記コントローラが前記第１の値から前記第２の値への変化を検出したときに第１の通知をユーザに提供するか、または前記コントローラが、予め定められた期間内に、第１の値からの変化であって第２の値よりもおおよそ小さい変化を検出したときに第２の通知をユーザに提供するように構成されている、システム。
【請求項２】
前記コントローラは、前記第１の値から前記第２の値への変化を前記第１の流体ラインおよび前記第２の流体ラインの血液のヘマトクリットの変化に関連付けるように構成されている、請求項１に記載のシステム。
【請求項３】
前記コントローラは、前記ヘマトクリットの変化の減衰を検出し、前記信号または前記フィルタリングされた形態の信号が前記第１の値から前記第２の値までの低下にて減衰されたときに閉鎖を宣言するように構成されている、請求項２に記載のシステム。
【請求項４】
前記コントローラは、前記信号または前記フィルタリングされた形態の信号が前記第１の値の所定の割合の範囲内にある値を有するときに閉鎖を宣言するように構成されている、請求項３に記載のシステム。
【請求項５】
前記所定の割合が９９％である、請求項４に記載のシステム。
【請求項６】
前記所定の割合が、９３〜９７％の範囲内にある、請求項４に記載のシステム。
【請求項７】
前記コントローラは、透析液が前記第１の流体ラインおよび前記第２の流体ラインに圧送されるリンスバックプロセスの最初の１２秒間に最高のインピーダンス値に対応する第１の値を設定するように構成されている、請求項１〜４のいずれか一項に記載のシステム。
【請求項８】
前記コントローラは、前記信号または前記フィルタリングされた形態の信号が所定の期間内に前記第１の値の９７％以上である値を有するとき、閉鎖を宣言する、請求項７に記載のシステム。
【請求項９】
前記フィルタリングされた形態の信号は、第１の時定数を使用してフィルタリングされた測定された電気インピーダンスと第２のより小さい時定数を使用してフィルタリングされた測定された電気インピーダンスとの差を含む、請求項１〜８のいずれか一項に記載のシステム。
【請求項１０】
前記コントローラは、前記第１の時定数を使用してフィルタリングされた電気インピーダンスの値における変化に比例して変化するために前記フィルタリングされた形態の信号を調整するように構成されている、請求項９に記載のシステム。
【請求項１１】
前記フィルタリングされた形態の信号は、第１の時定数を使用してフィルタリングされた測定された電気インピーダンスと第２のより小さい時定数を使用してフィルタリングされた測定された電気インピーダンスとの比を含む、請求項１〜８のいずれか一項に記載のシステム。
【請求項１２】
前記信号は、アクセス切断センサの信号である、請求項１〜１１のいずれか一項に記載のシステム。